(57)【要約】      （修正有）【課題】安全性が高い上部給水式加湿器を提供する。【解決手段】ベース１、タンク２、及びファン２０を備え、ベースに水槽３が設けられ、水槽に霧化装置が設けられ、ファンがベースに設けられ、ファンの吹き出し口がダクトを介して排霧通路に接続され、タンクの上部に給水口が設けられ、タンクに排水口が設けられ、排水口に排水装置が取り付けられ、水槽中の水位に応じて排水装置のオフ又はオンを制御する水位制御装置が設けられる上部給水式加湿器であって、ファン吹き出し口又はダクトの水平断面の少なくとも一部がタンクとベースとの接続最低点の水平面よりも高く、タンクとベースとが着脱可能に密封接続される構成とする。【選択図】図１
2019023552.tif 000002
【特許請求の範囲】
【請求項１】
ベース、タンク、及びファンを備え、ベースに水槽が設けられ、水槽に霧化装置が設けられ、前記ファンの吹き出し口がダクトを介して排霧通路に接続され、前記排霧通路に霧化装置で生じる霧を排出する排霧口が設けられ、前記タンクの上部に給水口が設けられ、タンクに排水口が設けられ、排水口に排水装置が取り付けられ、前記排水装置は電気信号、磁気信号又は機械的動作を受けてトリガーされてオン又はオフし、水槽中の水位に応じて電気信号又は磁気信号又は機械的動作を生成する水位制御装置が設けられ、水位制御装置は電気信号又は磁気信号又は機械的動作を排水装置に伝送してそのオフ又はオンを制御する上部給水式加湿器であって、
前記ファンの吹き出し口又はダクトの水平断面の少なくとも一部がタンクとベースとの接続最低点の水平面よりも高く、前記タンクとベースとが着脱可能に密封接続されることを特徴とする上部給水式加湿器。
【請求項２】
前記ファンの吹き出し口又はダクトの水平断面の少なくとも一部がタンクの最大貯水量の５０％の水平面よりも高いことを特徴とする請求項１に記載の上部給水式加湿器。
【請求項３】
前記ファンの吹き出し口又はダクトの水平断面の少なくとも一部がタンクの最大貯水量の５０％−９８％の水平面の高さ範囲内にあることを特徴とする請求項１に記載の上部給水式加湿器。
【請求項４】
前記ベースは、タンクとの接する端面同士が着脱可能に密封されることを特徴とする請求項２に記載の上部給水式加湿器。
【請求項５】
前記ベースの天面及び／又はタンクの底面にシールリングが設けられることを特徴とする請求項４に記載の上部給水式加湿器。
【請求項６】
前記ベースの天面及び／又はタンクの底面に可撓性材料からなる密封面が設けられることを特徴とする請求項４に記載の上部給水式加湿器。
【請求項７】
前記ベースの側縁とタンクの側縁が着脱可能に密封接続されることを特徴とする請求項２に記載の上部給水式加湿器。
【請求項８】
シールスリーブをさらに備え、前記シールスリーブがベースとタンクの接合部に設けられることで、ベースの側縁とタンクの側縁が着脱可能に密封接続されることを特徴とする請求項７に記載の上部給水式加湿器。
【請求項９】
前記ベースの側縁とタンクの側縁に、相互に嵌合する凹部と凸部が設けられ、前記凹部の側壁及び／又は凸部の側壁にシールリングが設けられることを特徴とする請求項７に記載の上部給水式加湿器。
【請求項１０】
前記ベースとタンクが側縁に設けられたねじ山によって着脱可能に密封接続されることを特徴とする請求項７に記載の上部給水式加湿器。
【請求項１１】
前記排霧通路はダクトと霧管を接続してなり、前記ダクトがファンの吹き出し口と連通し、ダクトの吹き出し口が霧管の下部で霧管と連通し、前記排霧口が霧管の上部に設けられることを特徴とする請求項１〜１０のいずれか一項に記載の上部給水式加湿器。
【請求項１２】
前記ファンの吹き出し口がベースに位置し、前記ダクトは下ダクト及び上ダクトから構成され、前記上ダクトの底端が開口し、上ダクトの底端がファンの吹き出し口に着脱可能に密封接続され、上ダクトの上部が下ダクトと連通し、ダクトの吹き出し口が下ダクトの下部に設けられることを特徴とする請求項１１に記載の上部給水式加湿器。
【請求項１３】
前記上ダクトの底端及び／又はファンの吹き出し口にシールリング又は密封面が設けられることを特徴とする請求項１２に記載の上部給水式加湿器。
【請求項１４】
前記上ダクトの底端がファンの吹き出し口に嵌着され、上ダクトとファンの吹き出し口との接触面にシールリング又は密封面が設けられることを特徴とする請求項１２に記載の上部給水式加湿器。
【請求項１５】
前記ダクトの底端が開口し、前記ファンの吹き出し口がダクトの底端開口に沿って上へ延びてダクト内に入り、ファンの吹き出し口がダクトの吹き出し口よりも高いことを特徴とする請求項１１に記載の上部給水式加湿器。
【請求項１６】
前記ベースに上へ突出する凸部が設けられ、ファンの吹き出し口が凸部の上部に位置し、凸部内に位置するファンダクトを介してファンと連通し、前記ダクトの上端がファンの吹き出し口に突き合せ接続され、ダクトの吹き出し口がダクトの下端に設けられることを特徴とする請求項１１に記載の上部給水式加湿器。
【請求項１７】
前記ベースとタンクに、相互に嵌合するバックルが設けられることを特徴とする請求項１〜１０のいずれか一項に記載の上部給水式加湿器。
【請求項１８】
前記排霧通路とタンクが一体構造であることを特徴とする請求項１１に記載の上部給水式加湿器。
【請求項１９】
前記排霧通路とタンクが別体構造であり、排霧通路とベースが着脱可能に密封接続されることを特徴とする請求項１１に記載の上部給水式加湿器。
【発明の詳細な説明】
【技術分野】
【０００１】
本発明は加湿器に関し、特にタンク上部で給水する上部給水式加湿器に関する。
【背景技術】
【０００２】
生活水準の改善に伴い、生活環境の快適性の要求はますます高くなっており、空気湿度は快適性に影響する重要な要素の１つであり、特に北部地域やエアコンを長時間使用する場所では、空気が比較的乾燥するため、加湿器は多くの家庭に不可欠な小型家電になりつつある。
【０００３】
現在、市販の加湿器はほとんど分離タンクを有するものであり、給水口がタンクの底部に設けられる。このような下部給水方式では加湿器に給水する際に、使用者はまずハンドルによってタンクを持ち上げ、タンクを逆様にし、次にタンク底部の密封用の給水蓋を開け、給水蓋によって水を満たし、その後、給水蓋を密封する。全給水過程が煩瑣であるだけでなく、水を満たされたタンクが重いため、高齢者や女性など体力の弱い使用者に多大な不便を招いてしまい、また、給水蓋は、大量の水漏れを回避するためにタンクにおいて負圧を実現するように、密封作用を併せ持つため、一般的に、使用時に締め付け密封が必要であり、且つ給水蓋はタンクとベースとの間の非常に小さなスペースに位置し、小型化を求められ、手で握持して摩擦回転力を発生可能な接触面が小さく、且つ蓋の回転半径が非常に小さいため、開閉には十分な力が必要であり、高齢者など体力の弱い使用者にとって開閉が非常に困難であり、また、給水蓋に制御可能な給気排水装置が設けられることが多く、霧化水槽の水位が下がると、空気をタンクに供給してタンク中の水を制御可能に水槽に流入させ、この場合、開閉力が大きすぎると、動作のバランスを崩して給気排水装置に衝突して、損傷を招く恐れがあり、従って、給水、排水装置の一体構造の場合では、正常使用中、損傷しやすい。上記問題を解決するために、上部給水式加湿器が登場しており、タンクの頂部にタンク蓋が設けられることで、タンク蓋を開けて直接給水することが可能になり、使用者に大きな利便性をもたらす。
【０００４】
上部給水式加湿器は、タンクがベースの上方に架設され、タンクとベースが一括射出成形によって実現されることが多いが、タンクとベースに排霧通路、ダクト、水槽、排水口等のような機能性部材又は取付構造をさらに射出成形する必要があるため、金型と射出成形プロセスが非常に複雑であり、作製コストが大幅に高まり、また、タンク排水装置のオン又はオフによってタンク中の水を水槽に流入させることは、水位制御装置によって制御されることが多いが、水中に髪等の異物が存在する可能性があるため、異物が水位制御装置に詰まると、水位制御装置が故障し、タンク中の水が水槽へ流れ続けてしまう。しかし、従来の加湿器はファンの吹き出し口が通常水槽の傍らに設置されており、且つ位置が低いため、水槽の水位が所定高さに上がると、ファンの吹き出し口を水没させ、水がファンに流れてファン及びその付属回路の損傷を招いてしまう。上記事情に鑑みて、力を入れてタンクを反転させ移動し蓋を開けることを回避するだけでなく、タンクとベースの別体設計によって金型やプロセスが簡単で、コストが低い効果を図る上部給水式加湿器を如何に提供するかは、消費者と業界の目標の一つになっている。
【０００５】
本発明の発明者は、長年にわたって様々なタイプの家電機器の研究、開発、製造の経験を積み重ねており、研究や実証を繰り返して、本発明の加湿器にたどり着いた。
【発明の概要】
【発明が解決しようとする課題】
【０００６】
本発明は、安全性が高く、コストが低く、作製プロセスが簡単で、使用しやすい効果を有する上部給水式加湿器を提供することを目的とする。
【課題を解決するための手段】
【０００７】
本発明の上部給水式加湿器において、ベース、タンク、及びファンを備え、ベースに水槽が設けられ、水槽に霧化装置が設けられ、前記ファンの吹き出し口がダクトを介して排霧通路に接続され、前記排霧通路に、霧化装置で生じる霧を排出する排霧口が設けられ、前記タンクの上部に給水口が設けられ、タンクに排水口が設けられ、排水口に排水装置が取り付けられ、前記排水装置は電気信号、磁気信号又は機械的動作を受けてトリガーされてオン又はオフし、前記上部給水式加湿器は、水槽中の水位に応じて電気信号又は磁気信号又は機械的動作を生成する水位制御装置が設けられ、水位制御装置は電気信号又は磁気信号又は機械的動作を排水装置に伝送してそのオフ又はオンを制御する上部給水式加湿器であって、前記ファンの吹き出し口又はダクトの水平断面の少なくとも一部がタンクとベースとの接続最低点の水平面よりも高く、前記タンクとベースとが着脱可能に密封接続されることを特徴とする。
【０００８】
さらなる安全性向上のために、前記ファンの吹き出し口又はダクトの水平断面の少なくとも一部がタンクを５０％貯水した後の水平面よりも高く、大量のデータ統計研究によれば、消費者はタンクを満たすことが滅多になく、特に上部給水タイプの場合に給水が容易であるため、各回の給水量がさらに少ないことに加えて、タンクとその下の水槽との間に一定のスペースがあり、タンク中の水が漏れて加湿器を出ない場合でも、タンク中の水位が最大貯水量の５０％の水平面以下に下がる確率が９７％、タンク中の水位が最大貯水量の９８％の水平面以下に下がる確率が９９．９９９％と高く、吹き出し口又はダクトの水平断面の少なくとも一部がタンクの最大貯水量の５０％−９８％の水平面の高さ範囲内にある限り、吹き出し口又はダクトの水平断面の少なくとも一部がタンクの最大貯水量の５０％の水平面よりも高いことに加えて、水漏れの確率が低いため、吹き出し口又はダクトの水平断面の少なくとも一部がタンクの最大貯水量の５０％の水平面よりも高いことで、水がファンに流れ込む確率を大幅に低減させ、また、ダクトが長すぎると、ダクト吹き出し口の風力が低減し、占有空間が大きく、実施難度が増加し、美しさを損なうため、このような設計によって、故障の可能性と製品の実施容易性、効率を両立させることができ、前記ファンの吹き出し口又はダクトの水平断面の少なくとも一部がタンクの最大貯水量の５０％−９８％の水平面の高さ範囲内にあることで、ダクトがタンクよりも高くなることがなく、ダクト露出を禁止する特別の設計及び外観を考慮に入れて、最適設計を達成する。
【０００９】
上記排水装置及び水位制御装置はいずれも加湿器に一般的に使用されているものであるため、ここで、その構造及び動作原理についての説明を省略する。タンクとベースとが着脱可能に密封接続されることで、タンクがベースと分離可能であり、使用者はタンクのみを持って給水でき、柔軟性が向上するだけでなく、異物等に起因する水位制御装置の故障が発生する時、タンク内の水がタンクとベースとの間の接合部に沿って加湿器から流出するのを防止する。
【００１０】
具体的には、タンクとベースとの着脱可能な密封接続は以下の形態がある。
【００１１】
１、前記ベースとタンクの接する端面同士が着脱可能に密封される。具体的には、以下の通りである。
【００１２】
ａ、前記ベースの天面及び／又はタンクの底面にシールリングが設けられ、タンクがシールリングを圧迫してタンクとベースとの密封を実現する。
【００１３】
ｂ、前記ベースの天面及び／又はタンクの底面に可撓性材料からなる密封面が設けられ、タンクが密封面を圧迫してタンクとベースとの密封を実現する。シールリングによって密封する上記形態ａに比べて、密封面に求められるタンクとベースとの相対位置の精度が低く、密封効果がより信頼でき、タンクの配置もさらに容易である。
【００１４】
２、前記ベースの側縁とタンクの側縁が着脱可能に密封接続される。具体的には、以下の通りである。
【００１５】
ｃ、上部給水式加湿器はシールスリーブをさらに備え、前記シールスリーブがベースとタンクの接合部に設けられることで、ベースの側縁とタンクの側縁が着脱可能に密封接続される。タンクをベースに配置した後、シールスリーブをベースとタンクとの接合部に設けることで、増設したシールスリーブによって、密封接続を実現する。該シールスリーブは弾性材料、例えばゴムからなり、それにより取付を容易に実行でき、タンク、ベースに対する押し締めを確保し、水漏れを回避する。
【００１６】
ｄ、前記ベースの側縁とタンクの側縁に、嵌合する凹部と凸部が設けられ、前記凹部の側壁及び／又は凸部の側壁にシールリングが設けられる。タンクとベースが凹部と凸部によって位置決めされ、タンクがベースに配置されると、上記凹部と凸部の側壁が密着し、ここでのシールリングによってタンクとベースの密封接続を実現する。好ましくは、凹部と凸部を円錐台形状とすることで、タンク取付を容易に実行でき、良好な密封効果を確保できる。
【００１７】
ｅ、前記ベースとタンクが側縁に設けられたねじ山によって着脱可能に密封接続される。
【００１８】
さらに、前記排霧通路はダクトと霧管を接続してなり、前記ダクトがファンの吹き出し口と連通し、ダクトの吹き出し口が霧管の下部で霧管と連通し、前記排霧口が霧管の上部に設けられる。本発明におけるファンから吹き出す風の流れは、ファン−ファンの吹き出し口−ダクト−霧管−排霧口であり、水槽（霧化装置が設けられるため、ここで霧管とともに排霧室を形成する）が排霧口と連通し、ファンから吹き出す風は順にファンの吹き出し口、ダクトを通過した後、霧管の下部から水槽の上方に入り、さらに水槽内で生じる霧が上へ向かって霧管を通過して、排霧口から上へ吹き出す。
【００１９】
異物等に起因する水位制御装置の故障が発生する時、上部給水タンクのため、タンクに通常負圧がなく、水槽内の水位がタンク内の水位と同じになるまでタンク内の水が水槽へ流れ続け、水槽内の水が霧管に沿って上り、ダクトの吹き出し口を経由してダクト内に入り、ファンの吹き出し口の位置を高くし（例えば、ダクトの上方に位置する）又はファンの吹き出し口とダクトの吸込口とのを密封接続し、ダクトを高位置に設計することで、水槽内の水がファンの吹き出し口に流入し難く、それによりファンの安全を確保する。
【００２０】
具体的には、排霧通路は以下の構造を有する。
【００２１】
１、前記ダクトは下ダクト及び上ダクトから構成され、前記上ダクトの底端が開口し、且つ上ダクトの底端がファンの吹き出し口に着脱可能に密封接続され、上ダクトの上部が下ダクトと連通し、ダクトの吹き出し口が下ダクトの下部に設けられる。
【００２２】
上ダクトの底端がファンの吹き出し口に着脱可能に密封接続されることで、下ダクトと水槽内の水位が上がっても、上ダクトの底端とファンの吹き出し口との接続部を経由してファンの吹き出し口内に入ることがなく、水位が上ダクトの上部に上がるしか、上ダクトに沿ってファンの吹き出し口内に入らない。一般には、水位制御装置が故障しても、水槽内の水位が上ダクトの高位置の上部に上がることに必要な水がタンク内にないため、ファンの安全を確保できる。
具体的には、前記上ダクトの底端及び／又はファンの吹き出し口にシールリング又は密封面が設けられ、或いは前記上ダクトの底端がファンの吹き出し口に嵌着され、上ダクトとファンの吹き出し口との接触面にシールリング又は密封面が設けられる。上記２種の構造のいずれも、上ダクトの底端とファンの吹き出し口との着脱可能な密封接続を実現できる。取付時、上ダクトとファンの吹き出し口を突き合せ接続すればよい。
【００２３】
２、前記ダクトの底端が開口し、前記ファンの吹き出し口がダクトの底端開口に沿って上へ延びてダクト内に入り、ファンの吹き出し口がダクトの吹き出し口よりも高い。取付時、ダクトを下へファンの吹き出し口に嵌着すればよく、ダクトとファンの吹き出し口との密封接続が不要であり、ファンの吹き出し口の高さがタンクの容量、水槽の容量等に応じて調整可能であり、それにより異物等に起因する水位制御装置の故障が発生し、タンク内の水が水槽へ流れてタンクと水槽の水位が同じになっても、ファンの吹き出し口がこの時の水位よりも高いようにすればよい。
【００２４】
３、前記ベースに上へ突出する凸部が設けられ、ファンの吹き出し口が凸部の上部に位置し、凸部内に位置するファンダクトを介してファンと連通し、前記ダクトの上端がファンの吹き出し口に突き合せ接続され、ダクトの吹き出し口がダクトの下端に設けられる。このような構造によって、ファンの吹き出し口の位置を高くして、ファンに水が入る可能性を低減させる。
【００２５】
上記第２、第３種の構造において、ファンの吹き出し口の位置が高いことで、水位制御装置が故障しても、水槽内の水位がファンの吹き出し口の高さに上がることに必要な水がタンク内になく、従って、ファンの安全を確保する。第３種の構造において、ファンのダクトが凸部内に内蔵されることで、凸部内のスペースを活用し、美しさを向上させる。
【００２６】
さらに、前記ベースとタンクに、相互に嵌合するバックルが設けられ、タンクをベースに配置した後、バックルをかけると、タンクとベースとの接続安定性、良好な密封を確保できる。
【００２７】
さらに、前記排霧通路とタンクが一体構造であり、それによりタンクをベースから取り外すと、水槽を洗浄でき、非常に便利であり、タンクを配置する時、排霧通路が直接ファンの吹き出し口に突き合せ接続できる。勿論、前記排霧通路とタンクが別体構造であり、排霧通路がベースに着脱可能に密封接続されるようにしてもよく、このような構造がさらに柔軟になり、加湿器の形状をより多様化する。
【発明の効果】
【００２８】
本発明の上部給水式加湿器によれば、ダクト構造及びタンクとベースの接続方式を改良し、ベースと分離可能なタンクを提供し、タンクとベースに対してそれぞれ金型を作製でき、金型作製や射出成形プロセスが簡単で、上部給水タンクによって給水作業を容易化し、給水口と排水装置が別体に設けられることで、相互干渉の可能性を回避し、また、水位制御装置が故障しても、タンク内の水がファンに入ったり加湿器から流出したりすることが生じにくく、使用上の安全性を確保する。
【図面の簡単な説明】
【００２９】
【図１】は実施例１の上部給水式加湿器の断面図である。
【図２】は図１のＡ−Ａ断面図である。
【図３】は実施例２の上部給水式加湿器の断面図である。
【図４】は図３のＡ−Ａ断面図である。
【図５】は実施例３の上部給水式加湿器の断面図である。
【図６】は図５のＡ−Ａ断面図である。
【図７】は実施例４の上部給水式加湿器の断面図である。
【発明を実施するための形態】
【００３０】
以下、図面を参照して実施例を説明し、本発明の実施形態、例えば係る各部材の形状、構造、各部分間の相互位置及び接続関係、各部分の作用及び動作原理等をさらに詳細に説明する。
実施例１
【００３１】
図１、２に示すように、本実施例の上部給水式加湿器は、ベース１と、天面に給水口が設けられるタンク２とを備え、ベース１に水槽３が設けられ、水槽３に超音波霧化装置が設けられ、ファン２０がベース１内に取り付けられ、ファンの吹き出し口４が上向きにベース１から露出し、タンク２に排水口が設けられる。しかし、排水口がタンクの底部に取り付けられてもよい。タンクの底に溜まった沈殿物が水槽に流入することを回避するように、タンクの底から所定高さ離れた位置に取り付けられてもよい。排水口に排水装置が取り付けられ、排水装置は電気信号、磁気信号又は機械的動作を受けてトリガーされてオン又はオフし、タンク２内の水を水槽３に流入させる。排水装置は、電磁弁、磁気棒付きのゴム蓋やエジェクタピン付きのゴム蓋等が挙げられ、電気信号又は機械的トリガーを受けて動作してオン又はオフを実現し、水槽３内に水槽３中の水位に応じて電気信号又は磁気信号又は機械的動作を生成して排水装置のオン又はオフを制御する水位制御装置が取り付けられる。水位制御装置は電気信号又は磁気信号又は機械的動作を排水装置に伝送してそのオフ又はオンを制御する。電気信号の生成については、センサによって水槽３中の水位を感知し、所定値と比較して電気信号を生成して排水装置の電磁弁のオンオフを制御する。磁気信号の生成については、センサによって水槽３中の水位を感知し、所定値と比較してオンオフコイル電流を決定し、コイル電流で磁気信号を生成して排水装置の磁気棒の移動を制御し、さらに排水装置のゴム蓋を移動駆動してオンオフを実現する。機械的動作の生成については、水槽中に接続棒及び接続棒の一端に接続されるフロートブロックが設けられ、フロートブロックが水位に伴い上下動し、接続棒の中間に回転軸が設けられ、接続棒の他端が排水装置のエジェクタピン付きのゴム蓋の移動をトリガーしてオンオフを実現する。排水装置と水位制御装置は複数の形態によって実現でき、ここで単なる例示であり、詳細に説明しない。ベース１の天面のエッジにシールリング５が設けられ、タンク２がベース１に配置され、それによりタンク２とベース１とが着脱可能に密封接続される。ベース１とタンク２に、相互に嵌合するバックルが設けられ、タンク２をベース１に配置した後、バックルをかけると、タンク２とベース１との接続安定性、良好な密封を確保できる。
【００３２】
タンク２はプラスチックからなり、タンク２の中部に排霧通路が一体に形成され、該排霧通路は隣接するダクトと霧管６を接続してなり、霧管６の下方が開口し、且つ水槽３に正対し、霧管６と水槽３が嵌合して霧化室を形成し、霧管６の先端部に排霧口７が設けられ、ダクトは垂直な下ダクト８及び下ダクト８内に嵌着された上ダクト９からなり、上ダクト９の底端が開口し、ファンの吹き出し口の先端部の外壁にシールリング１０が設けられ、タンク２を取り付ける時、タンク２を下へ押して、上ダクト９とファンの吹き出し口４を嵌着し、シールリング１０によってそれらの密封接続を実現する。上ダクト９の上部の側方に下ダクト８と連通する開口１１が設けられ、ダクトが下ダクト８の下部に設けられた吹き出し口１２を介して霧管６と連通する。
【００３３】
上記加湿器のファンから吹き出す風の流れは、ファン−ファンの吹き出し口４−上ダクト９−下ダクト８−霧管６−排霧口７であり、ファンから吹き出す風は順にファンの吹き出し口４、ダクトを通過した後、霧管６の下部から霧化室に入り、さらに水槽３内で生じる霧が上へ向かって霧管６を通過して、排霧口７から上へ吹き出す。異物等に起因する水位制御装置の故障が発生する時、水槽３内の水位がタンク２内の水位と同じになるまでタンク２内の水が水槽３へ流れ続け、水槽３内の水が霧管６に沿って上り、下ダクト８の吹き出し口１２を経由して下ダクト８内に入り、ファンの吹き出し口４と上ダクト９の吸込口が密封接続されることで、下ダクト８内の水位がファンの吹き出し口４の高さを超えても、水がファンの吹き出し口４に流れることがなく、水位が上ダクト９の上部に上がるしか、上ダクト９の上部側方の開口に沿ってファンの吹き出し口４内に入らない。一般には、水位制御装置が故障しても、水槽３内の水位が上ダクト９の上部に上がることに必要な水がタンク２内にない限り、ファンの安全を確保できる。具体的に実施する際に、上ダクトと下ダクトから構成されるダクトを可能な限り短くすることで、過大な風力損失を回避し、また、ダクトがスペースを占有し、ダクトが長すぎて露出すると、美しさを損ない、特に水位制御装置の故障確率が小さいため、各要素を考慮してバランスの取れた技術案を形成することは、最適な技術的効果につながることが多い。統計した上で、上ダクトの上部がタンクの最大貯水量の５０％の水平面よりも高いようにする。
【００３４】
また、タンク２とベース１とが着脱可能に密封接続されることで、タンク２がベース１と分離可能であり、使用者はタンク２のみを持って給水でき、柔軟性が向上するとともに、タンク２内の水がタンク２とベース１との接合部に沿って加湿器から流出するのを防止できる。
実施例２
【００３５】
図３、４に示すように、本実施例の上部給水式加湿器はベース１と、天面に給水口が設けられるタンク２とを備え、ベース１に水槽３が設けられ、水槽３に超音波霧化装置が設けられ、ベース１内にファン２０が取り付けられ、ファンの吹き出し口４が管状であり上向きにベース１から露出し、タンク２の底部に排水口が設けられ、排水口に排水装置が取り付けられ、水槽３内に水槽３中の水位に応じて排水装置のオン又はオフを制御する水位制御装置が取り付けられ、ベース１の天面のエッジにシールリング５が設けられ、タンク２がベース１に配置され、それによりタンク２とベース１が着脱可能に密封接続される。ベース１とタンク２に、相互に嵌合するバックルが設けられ、タンク２をベース１に配置した後、バックルをかけると、タンク２とベース１との接続安定性、良好な密封を確保できる。
【００３６】
タンク２はプラスチックからなり、タンク２の中部に排霧通路が一体に形成され、該排霧通路は隣接するダクト１３と霧管６を接続してなり、霧管６の下方が開口し且つ水槽３に正対し、霧管６と水槽３が霧化室を形成し、霧管６の先端部に排霧口７が設けられ、ダクト１３の底端が開口し、前記ファンの吹き出し口４がダクト１３の底端開口に沿って上へ延びてダクト１３内に入り、ファンの吹き出し口４がダクト１３の上部に位置し、ダクト１３が下部の吹き出し口１２を介して霧管６と連通する。タンク２の取付時、タンク２に設けられたダクト１３を下へ向かってファンの吹き出し口４に嵌着すればよく、ダクト１３とファンの吹き出し口４との密封接続が不要である。
【００３７】
上記加湿器のファンから吹き出す風の流れは、ファン−ファンの吹き出し口４−ダクト１３−霧管６−排霧口７であり、ファンから吹き出す風は順にファンの吹き出し口４、ダクト１３を通過した後、霧管６の下部から霧化室に入り、さらに水槽３内で生じる霧が上へ向かって霧管６を通過して、排霧口７から上へ吹き出す。
【００３８】
異物等に起因する水位制御装置の故障が発生する時、水槽３内の水位がタンク２内の水位と同じになるまでタンク２内の水が水槽３へ流れ続け、水槽３内の水が霧管６に沿って上り、ダクト１３の下部の吹き出し口１２を経由してダクト１３内に入るが、ファンの吹き出し口４の位置が高く、水槽３内の水位がダクト１３の上部に上がることに必要な水がタンク２内にないため、ファンの安全を確保でき、具体的に実施する際に、ファン吹き出し経路とダクト１３から構成されるダクトを可能な限り短くすることで、過大な風力損失を回避し、また、ダクトがスペースを占有し、ダクトが長すぎて露出すると、美しさを損ない、特に水位制御装置の故障確率が小さいため、各要素を考慮してバランスの取れた技術案を形成することは、最適な技術的効果につながることが多い。統計した上で、ファンの吹き出し口４がタンクの最大貯水量の５０％の水平面よりも高いようにする。
実施例３
【００３９】
図５、６に示すように、本実施例の上部給水式加湿器はベース１と、天面に給水口が設けられるタンク２とを備え、ベース１の天面に水槽３が設けられ、水槽３に超音波霧化装置が設けられ、ベース１内にファン２０が取り付けられ、ファンの吹き出し口４が上向きにベース１から露出し、タンク２の底部に排水口が設けられ、排水口に排水装置取り付けられ、水槽３中に水槽３中の水位に応じて排水装置のオン又はオフを制御する水位制御装置が取り付けられ、ベース１の天面のエッジにシールリング５が設けられ、タンク２がベース１に配置され、それによりタンク２とベース１とが着脱可能に密封接続される。ベース１とタンク２に、相互に嵌合するバックルが設けられ、タンク２をベース１に配置した後、バックルをかけると、タンク２とベース１との接続安定性、良好な密封を確保できる。
【００４０】
ベース１の一側に、ディスプレイ、キー等を取り付けるためのパネル１４が上へ突出して設けられ、ファンの吹き出し口４がパネル１４の上部に位置し、パネル１４内に位置するファンダクト１７を介してファンと連通する。
【００４１】
タンク２はプラスチックからなり、タンク２の中部に排霧通路が一体に形成され、該排霧通路は隣接するダクトと霧管６を接続してなり、霧管６の下方が開口し、且つ水槽３に正対し、霧管６と水槽３が霧化室を形成し、霧管６の先端部に排霧口７が設けられ、ダクトは水平管１５と垂直管１６を接続してなり、前記水平管１５がタンク２の頂部に位置し、タンク２がベース１に配置されると、水平管１５がファンの吹き出し口４に突き合せ接続され、ダクトが垂直管１６の下部に設けられた吹き出し口１２を介して霧管６と連通する。
【００４２】
上記加湿器のファンから吹き出す風の流れは、ファン−パネル１４内のファンダクト１７−ファンの吹き出し口４−水平管１５−垂直管１６−霧管６−排霧口７であり、ファンから吹き出す風は順にファンのダクト１７、ファンの吹き出し口４、水平管１５、垂直管１６を通過した後、霧管６の下部から霧化室に入り、さらに水槽３内で生じる霧が上へ向かって霧管６を通過して、排霧口７から上へ吹き出す。
【００４３】
異物等に起因する水位制御装置の故障が発生する時、水槽３内の水位がタンク２内の水位と同じになるまでタンク２内の水が水槽３へ流れ続け、水槽３内の水が霧管６に沿って上り、ダクト下部の吹き出し口１２を経由してダクト内に入るが、ファンの吹き出し口４の位置が高く（タンク２の最大貯水量の９８％の水平面に達する）、水槽３内の水位がファン吹き出し口４の高さに上がることに必要な水がタンク２内にないため、ファンの安全を大体確保できる。
実施例４
【００４４】
図７に示すように、本実施例の上部給水式加湿器は実施例２と類似し、ベース１と、天面に給水口が設けられるタンク２とを備え、ベース１の天面に水槽３が設けられ、水槽３に超音波霧化装置が設けられ、ベース１内にファン２０が取り付けられ、ファンの吹き出し口４が管状であり上向きにベース１から露出し、タンク２の底部に排水口が設けられ、排水口に排水装置が取り付けられ、水槽３内に水槽３中の水位に応じて排水装置のオン又はオフを制御する水位制御装置が取り付けられ、ベース１の天面のエッジにシールリング５が設けられ、タンク２がベース１に配置され、それによりタンク２とベース１とが着脱可能に密封接続される。ベース１とタンク２に、相互に嵌合するバックルが設けられ、タンク２をベース１に配置した後、バックルをかけると、タンク２とベース１との接続安定性、良好な密封を確保できる。
【００４５】
排霧通路は隣接するダクト１３と霧管６を接続してなり、霧管６の下方が開口し且つ水槽３に正対し、霧管６と水槽３が霧化室を形成し、霧管６の先端部に排霧口７が設けられ、ダクト１３の底端が開口し、前記ファンの吹き出し口４がダクト１３の底端開口に沿って上へ延びてダクト１３内に入り、ファンの吹き出し口４がダクト１３の上部に位置し、ダクト１３が下部の吹き出し口１２を介して霧管６と連通する。
【００４６】
実施例２に対する相違点について、本実施例の排霧通路はタンク２と別途に設けられ、且つタンク２と隣接する。該排霧通路はベース１の水槽３の上方に架設され、ベース１に着脱可能に密封接続され、具体的な構造について、排霧通路の底部が水槽３内に差し込まれ、排霧通路に外へ突出する水平フランジ（リング状部材）１８が設けられ、水平フランジ１８の底面にシールリング１９が設けられ、水平フランジ１８が水槽３のエッジに架設され、その底面のシールリング１９がベース１に押圧されることで、排霧通路とベース１との密封接続を実現できる。取付時、排霧通路のダクト１３を下へ向かってファンの吹き出し口４に嵌着すればよく、ダクト１３とファンの吹き出し口４との密封接続が不要である。
【００４７】
上記加湿器のファンから吹き出す風の流れは、ファン−ファンの吹き出し口４−ダクト１３−霧管６−排霧口７であり、ファンから吹き出す風は順にファンの吹き出し口４、ダクト１３を通過した後、霧管６の下部から霧化室に入り、さらに水槽３内で生じる霧が上へ向かって霧管６を通過して、排霧口７から上へ吹き出す。
【００４８】
異物等に起因する水位制御装置の故障が発生する時、水槽３内の水位がタンク２内の水位と同じになるまでタンク２内の水が水槽３へ流れ続け、水槽３内の水が霧管６に沿って上り、ダクト１３の下部の吹き出し口１２を経由してダクト１３内に入るが、ファンの吹き出し口４の位置が高く、タンクの最大貯水量の８０％の水平面に達し、水槽３内の水位がファンの吹き出し口４の高さに上がることに必要な水がタンク２内にないため、ファンの安全を大体確保できる。
【符号の説明】
【００４９】
１  ベース
２  タンク
３  水槽
４  ファンの吹き出し口
５  ベースのシールリング
６  霧管
７  排霧口
８  下ダクト
９  上ダクト
１０  ファンの吹き出し口のシールリング
１１  上ダクトの上部開口
１２  ダクトの吹き出し口
１３  ダクト
１４  パネル
１５  水平管
１６  垂直管
１７  ファンのダクト
１８  水平フランジ
１９  水平フランジのシールリング
２０  ファン
【図１】
2019023552.tif 000003
【図２】
2019023552.tif 000004
【図３】
2019023552.tif 000005
【図４】
2019023552.tif 000006
【図５】
2019023552.tif 000007
【図６】
2019023552.tif 000008
【図７】
2019023552.tif 000009